(57)【特許請求の範囲】
【請求項１】
矩形形状の板面に凹凸が施された版木本体と、
板面に凹凸が施された版木を矩形形状に裁断した複数の小片の版木と、
この複数の小片の版木を前記版木本体の四辺に沿って環状に敷き詰めると共に、接着剤を介して前記複数の小片の版木と前記版木本体を一体化することを特徴とする鑑賞用版木。
【請求項２】
接着剤を介して一体化した複数の小片の版木と版木本体の裏面がフラット面に形成されていることを特徴とする請求項１記載の鑑賞用版木。
【請求項３】
一体化した複数の小片の版木と版木本体の表面に向かって凹む凹部がフラット面に形成されていることを特徴とする請求項２記載の鑑賞用版木。
【請求項４】
小片の版木及び又は版木本体の裏面に台木が付着されていることを特徴とする請求項１、２又は３記載の鑑賞用版木。
【請求項５】
矩形形状に形成された額縁の枠体と、
この枠体に着脱自在に取り付けられた裏板と、
矩形形状の板面に凹凸が施された版木本体と、
板面に凹凸が施された版木を矩形形状に裁断した複数の小片の版木と、
この複数の小片の版木を前記版木本体の四辺に沿って環状に敷き詰めると共に、接着剤を介して一体化し、この一体化した前記複数の小片の版木と前記版木本体とを前記裏板の表面又は前記裏板の表面に設けたシート状部材を介して取り付けたことを特徴とする鑑賞用版木。
【請求項６】
複数の小片の版木を前記版木本体の四辺に沿って環状に敷き詰めると共に、接着剤を介して一体化した環状体と、
この環状体の外周部は、平面視、矩形形状で、前記環状体の四辺及び版木本体の四辺がそれぞれ平行であることを特徴とする請求項１又は５記載の鑑賞用版木。
【請求項７】
複数の小片の版木を前記版木本体の四辺に沿って環状に敷き詰めると共に、接着剤を介して一体化した環状体と、
この環状体の外周部は、平面視、矩形形状であり、
額縁の枠体の四辺、前記環状体の四辺及び版木本体の四辺がそれぞれ平行であることを特徴とする請求項５記載の鑑賞用版木。
【請求項８】
複数の小片の版木を版木本体の四辺に沿って環状に敷き詰めると共に、接着剤を介して一体化し、この一体化した前記複数の小片の版木と前記版木本体とを裏板の表面への取り付けは、着脱可能な固定具を介して取り付けられ、
前記複数の小片の版木と前記版木本体とを一体化した裏面と、前記裏板の裏面又は、前記裏板の裏面を覆う覆い部材とにそれぞれ鑑賞用版木の創作者のサインが施されていることを特徴とする請求項５記載の鑑賞用版木。
【発明の詳細な説明】
【技術分野】
【０００１】
本発明は、鑑賞用版木に係り、特に、版画を刷り終えた版木を裁断して小片の版木とすることにより、「版画を刷り終えた版木」の有効活用を図り、しかも、版木の美しい部分の複数の小片の版木と版木本体とを組み合わせて一体化して鑑賞用版木とすることにより、従来の固定的な版画を摺るための版木とは趣を異にした装飾効果をも得ることができる鑑賞用版木に関する。
【背景技術】
【０００２】
従来、版画を刷り終えた版木は、使用されず保管されているのが実情であり、また、版木の中には、一枚の版木のままでも美的価値があるもの、一枚の版木のままでは美的価値はないが、部分的に見れば、美的価値があるもの等、種々混在している。
【発明の開示】
【発明が解決しようとする課題】
【０００３】
一方、版木は版画を摺るためのものという固定的な観念があり、板面に凹凸の彫刻が施された版木を観賞用としてとらえることもなく、版画を刷り終えた版木は、使用されず保管されて埋もれ、活用されていないという問題点があった。
本発明は、上記問題点を除去するようにした鑑賞用版木を提供するものである。
【課題を解決するための手段】
【０００４】
上記目的を達成するために、請求項１記載の鑑賞用版木は、矩形形状の板面に凹凸が施された版木本体と、板面に凹凸が施された版木を矩形形状に裁断した複数の小片の版木と、この複数の小片の版木を前記版木本体の四辺に沿って環状に敷き詰めると共に、接着剤を介して前記複数の小片の版木と前記版木本体を一体化するものである。
【０００５】
また、請求項２記載の鑑賞用版木は、請求項１記載の鑑賞用版木において、接着剤を介して一体化した複数の小片の版木と版木本体の裏面がフラット面に形成されているものである。
【０００６】
また、請求項３記載の鑑賞用版木は、請求項２記載の鑑賞用版木において、一体化した複数の小片の版木と版木本体の表面に向かって凹む凹部がフラット面に形成されているものである。
【０００７】
また、請求項４記載の鑑賞用版木は、請求項１、２又は３記載の鑑賞用版木において、小片の版木及び又は版木本体の裏面に台木が付着されているものである。
【０００８】
また、請求項５記載の鑑賞用版木は、矩形形状に形成された額縁の枠体と、この枠体に着脱自在に取り付けられた裏板と、矩形形状の板面に凹凸が施された版木本体と、板面に凹凸が施された版木を矩形形状に裁断した複数の小片の版木と、この複数の小片の版木を前記版木本体の四辺に沿って環状に敷き詰めると共に、接着剤を介して一体化し、この一体化した前記複数の小片の版木と前記版木本体とを前記裏板の表面又は前記裏板の表面に設けたシート状部材を介して取り付けたものである。
【０００９】
また、請求項６記載の鑑賞用版木は、請求項１又は５記載の鑑賞用版木において、複数の小片の版木を前記版木本体の四辺に沿って環状に敷き詰めると共に、接着剤を介して一体化した環状体と、この環状体の外周部は、平面視、矩形形状で、前記環状体の四辺及び版木本体の四辺がそれぞれ平行である。
【００１０】
また、請求項７記載の鑑賞用版木は、請求項５記載の鑑賞用版木において、複数の小片の版木を前記版木本体の四辺に沿って環状に敷き詰めると共に、接着剤を介して一体化した環状体と、この環状体の外周部は、平面視、矩形形状であり、額縁の枠体の四辺、前記環状体の四辺及び版木本体の四辺がそれぞれ平行である。
【００１１】
また、請求項８記載の鑑賞用版木は、請求項５記載の鑑賞用版木において、複数の小片の版木を版木本体の四辺に沿って環状に敷き詰めると共に、接着剤を介して一体化し、この一体化した前記複数の小片の版木と前記版木本体とを裏板の表面への取り付けは、着脱可能な固定具を介して取り付けられ、前記複数の小片の版木と前記版木本体とを一体化した裏面と、前記裏板の裏面又は、前記裏板の裏面を覆う覆い部材とにそれぞれ鑑賞用版木の創作者のサインが施されているものである。
【発明の効果】
【００１２】
請求項１記載の鑑賞用版木によれば、複数の小片の版木を版木本体の四辺に沿って環状に敷き詰めると共に、接着剤を介して前記複数の小片の版木と前記版木本体を一体化するため、複数の小片の版木を版木本体の四辺に沿って環状に敷き詰め、固着している分、強度的に強く、しかも、版画を摺る以外に「全体として美的価値を有する」版木本体の有効活用を図ると共に、「全体としてよりは部分的に美的価値を有する」と共に、版画を刷り終えた版木を裁断して小片の版木とすることにより、「版画を刷り終えた版木」の有効活用を図り、更に、版木の美しい部分の複数の小片の版木と版木本体とを組み合わせて一体化して鑑賞用版木とすることにより、従来の固定的な版画を摺るための版木とは趣を異にした装飾効果をも得ることができる。
【００１３】
また、請求項２記載の鑑賞用版木によれば、前述した請求項１記載の発明の効果に加え、接着剤を介して一体化した複数の小片の版木と版木本体の裏面がフラット面に形成されているため、鑑賞用版木を容易に掲示することができる（例えば、鑑賞用版木を額縁内へ容易に安定して設置でき、また、鑑賞用版木を壁に安定して掛けることができる）。
【００１４】
また、請求項３記載の鑑賞用版木によれば、前述した請求項２記載の発明の効果に加え、接着剤を介して一体化した複数の小片の版木と版木本体の裏面がフラット面に形成されているため、鑑賞用版木を容易に掲示することがでる（例えば、鑑賞用版木を額縁内へ容易に設置で、また、鑑賞用版木を壁に掛けることができる）。なお、該フラット面に部分的に凹部（一体化した複数の小片の版木と版木本体の表面に向かって凹む凹部）が形成されていても、フラット面より突出する凸部でないため、設置に支障を生じない。
【００１５】
また、請求項４記載の鑑賞用版木によれば、前述した請求項１、２又は３記載の発明の効果に加え、小片の版木及び又は版木本体の裏面に台木が付着されているため、鑑賞用版木の表面に凹凸の段差を形成でき、表現の自由度が広まると共に、より立体感を与えることができる。
【００１６】
また、請求項５記載の鑑賞用版木によれば、複数の小片の版木を版木本体の四辺に沿って環状に敷き詰めると共に、接着剤を介して前記複数の小片の版木と前記版木本体を一体化するため、複数の小片の版木を版木本体の四辺に沿って環状に敷き詰め、固着している分、強度的に強く、しかも、版画を摺る以外に「全体として美的価値を有する」版木本体の有効活用を図ると共に、「全体としてよりは部分的に美的価値を有する」と共に、版画を刷り終えた版木を裁断して小片の版木とすることにより、「版画を刷り終えた版木」の有効活用を図り、更に、版木の美しい部分の複数の小片の版木と版木本体とを組み合わせて一体化して額縁内に収納することにより鑑賞用版木とすることができ、従来の固定的な版画を摺るための版木とは趣を異にした装飾効果をも得ることができる。
【００１７】
また、請求項６記載の鑑賞用版木によれば、前述した請求項１又は５記載の発明の効果に加え、環状体の外周部は、平面視、矩形形状で、前記環状体の四辺及び版木本体の四辺がそれぞれ平行であるため、版木本体を保護すると共に、強度的にも強い鑑賞用版木を得ることができる。
【００１８】
また、請求項７記載の鑑賞用版木によれば、前述した請求項５記載の発明の効果に加え、額縁の枠体の四辺、環状体の四辺及び版木本体の四辺がそれぞれ平行であるため、額縁の枠体の内方に環状体、環状体の内方に版木本体が位置し、版木本体が美的にも強調され、従来の固定的な版画を摺るための版木とは趣を異にした装飾効果をより得ることができる。
【００１９】
また、請求項８記載の鑑賞用版木によれば、前述した請求項５記載の発明の効果に加え、後日額縁を代えたい場合、着脱可能な固定具を介して取り替えることができ、仮に裏板を代えても、複数の小片の版木と版木本体とを一体化した裏面に鑑賞用版木の創作者のサインが施されていため、鑑賞用版木の価値を損なうことが防止される。
【実施例】
【００２０】
本発明の一実施例の鑑賞用版木を図面を参照して説明する。
図１乃至図４において、Ｐは鑑賞用版木で、鑑賞用版木Ｐは、矩形形状の板面に凹凸が施された版木本体１と、板面に凹凸が施された版木を矩形形状に裁断した複数の小片の版木２とから、概略的に構成されている。小片の版木２は、版画を刷り終えた版木を矩形形状に裁断して小片としたものである。そして、複数の小片の版木２を版木本体１の四辺ＡＢ、ＢＣ、ＣＤ、ＤＡに沿って環状に敷き詰めると共に、接着剤を介して複数の小片の版木２と版木本体１を一体化したものである。
【００２１】
このように、複数の小片の版木２を版木本体１の四辺ＡＢ、ＢＣ、ＣＤ、ＤＡに沿って環状に敷き詰めると共に、接着剤を介して複数の小片の版木２と版木本体１を一体化するため、複数の小片の版木２を版木本体１の四辺ＡＢ、ＢＣ、ＣＤ、ＤＡに沿って環状に敷き詰め、固着している分、鑑賞用版木Ｐ自体強度的に強く、しかも、版画を摺る以外に「全体として美的価値を有する」版木本体１の有効活用を図ると共に、「全体としてよりは部分的に美的価値を有する」と共に、版画を刷り終えた版木を裁断して小片の版木２とすることにより、「版画を刷り終えた版木」の有効活用を図り、更に、版木の美しい部分の複数の小片の版木２と版木本体１とを組み合わせて一体化して鑑賞用版木Ｐとすることにより、従来の固定的な版画を摺るための版木とは趣を異にした装飾効果をも得ることができる。
【００２２】
また、接着剤を介して一体化した複数の小片の版木２と版木本体１の裏面は、図３に示すように、フラット面１００に形成されている。図３において、ｆは鑑賞用版木Ｐの表側、ｂは鑑賞用版木Ｐの裏側をそれぞれ表している。
このように、接着剤を介して一体化した複数の小片の版木２と版木本体１の裏面がフラット面１００に形成されているため、鑑賞用版木Ｐを容易に掲示することができる（例えば、後述するように、鑑賞用版木Ｐを額縁４内へ容易に設置でき、また、鑑賞用版木Ｐを図示しないが壁に安定して掛けることができる）。なお、フラット面１００に、一体化した複数の小片の版木２と版木本体１の表面に向かって凹む凹部（図示せず）が形成されていても良い。かかる場合、フラット面１００より突出する凸部でないため、設置に支障を生じない。
【００２３】
また、図３に示すように、小片の版木２の裏面に台木３が付着されている。台木３は、図３においては、版木本体１の裏面に付着していないが、場合により、版木本体１の裏面にも付着するようにしても良い。小片の版木２及び版木本体１（小片の版木２又は版木本体１）の裏面に台木３を付着すると、鑑賞用版木Ｐの表面（鑑賞用版木Ｐの表側ｆ）に凹凸の段差を形成でき、表現の自由度が広まると共に、より立体感を与えることができる。
【００２４】
次に、上述した鑑賞用版木Ｐを額縁４内に収納した実施例について、図５乃至図８を参照して説明する。 
４１は矩形形状に形成された額縁の枠体で、この枠体４１に裏板４２が着脱自在に取り付けられている。上述した一体化した複数の小片の版木２と版木本体１とを裏板４２の表面にシート状部材５を介して取り付けられている（場合により、図示しないが、シート状部材５を介さず、上述した一体化した複数の小片の版木２と版木本体１とを裏板４２の表面に直接取り付けるようにしても良い。）。
なお、上述した複数の小片の版木２を版木本体１の四辺ＡＢ、ＢＣ、ＣＤ、ＤＡに沿って環状に敷き詰めると共に、接着剤を介して一体化した環状体Ｋを構成し、図５記載の環状体Ｋは、版木本体１を複数の小片の版木２で二重に囲んでいる。
このように複数の小片の版木２を版木本体１の四辺ＡＢ、ＢＣ、ＣＤ、ＤＡに沿って環状に敷き詰めると共に、接着剤を介して複数の小片の版木２と版木本体１を一体化するため、複数の小片の版木２を版木本体１の四辺ＡＢ、ＢＣ、ＣＤ、ＤＡに沿って環状に敷き詰め、固着している分、強度的に強く、しかも、版画を摺る以外に「全体として美的価値を有する」版木本体１の有効活用を図ると共に、「全体としてよりは部分的に美的価値を有する」と共に、版画を刷り終えた版木を裁断して小片の版木２とすることにより、「版画を刷り終えた版木」の有効活用を図り、更に、版木の美しい部分の複数の小片の版木と版木本体とを組み合わせて一体化して額縁４内に収納することにより鑑賞用版木Ｐとすることができ、従来の固定的な版画を摺るための版木とは趣を異にした装飾効果をも得ることができる。
【００２５】
なお、図２及び図５記載の環状体Ｋの外周部は、平面視、矩形形状で、環状体Ｋの四辺Ａ’Ｂ’、Ｂ’Ｃ’、Ｃ’Ｄ’、Ｄ’Ａ’及び版木本体１の四辺ＡＢ、ＢＣ、ＣＤ、ＤＡがそれぞれ平行となっている。その結果、額縁４の枠体４１の内方に環状体Ｋ、環状体Ｋの内方に版木本体１が位置し、版木本体１が美的にも強調され、従来の固定的な版画を摺るための版木とは趣を異にした装飾効果をより得ることができる。また、図５に示すように、額縁４の枠体４１の四辺Ａ”Ｂ”、Ｂ”Ｃ”、Ｃ”Ｄ”、Ｄ”Ａ”、環状体Ｋの四辺Ａ’Ｂ’、Ｂ’Ｃ’、Ｃ’Ｄ’、Ｄ’Ａ’及び版木本体１の四辺ＡＢ、ＢＣ、ＣＤ、ＤＡがそれぞれ平行となっている。
【００２６】
また、上述した複数の小片の版木２を版木本体１の四辺ＡＢ、ＢＣ、ＣＤ、ＤＡに沿って環状に敷き詰めると共に、接着剤を介して一体化し、この一体化した複数の小片の版木２と版木本体１とを裏板４２の表面への取り付けは、着脱可能な固定具（例えば、ビス４３）を介して取り付けられている。そして、複数の小片の版木２と版木本体１とを一体化した裏面には、図４に示すように、鑑賞用版木Ｐの創作者のサインＳが施されている。    なお、鑑賞用版木Ｐの創作者のサインＳは、裏板４２の裏面に限らず、裏板４２の裏面を覆う図示しない覆い部材（例えば、紙）に付しても良い。
また、裏板４２の裏面又は裏板４２の裏面を覆う図示しない覆い部材にも鑑賞用版木Ｐの創作者のサインＳが施されている。これは、後日額縁４を代えたい場合、着脱可能な固定具４３を介して取り替えることができ、仮に裏板４２を代えても、複数の小片の版木２と版木本体１とを一体化した裏面に鑑賞用版木Ｐの創作者のサインＳが施されていため、鑑賞用版木Ｐの価値を損なうことを防止するためである。なお、４４は枠体４１の前面に設けられたアクリルの透明な窓部で、４５は枠体４１から裏板４２が離脱するのを防ぐ締め具で、４６は吊り紐で、４７は壁Ｗに取り付けられた吊り金具である。
【００２７】
なお、上述した実施例の環状体Ｋは、版木本体１を複数の小片の版木２で二重に囲むと共に、環状体Ｋの四辺Ａ’Ｂ’、Ｂ’Ｃ’、Ｃ’Ｄ’、Ｄ’Ａ’及び版木本体１の四辺ＡＢ、ＢＣ、ＣＤ、ＤＡがそれぞれ平行となっているが、本発明にあっては、これに限らず、図９に示すように、版木本体１を複数の小片の版木２で一重に囲むようにしても良いし、また、環状体Ｋの四辺Ａ’Ｂ’、Ｂ’Ｃ’、Ｃ’Ｄ’、Ｄ’Ａ’及び版木本体１の四辺ＡＢ、ＢＣ、ＣＤ、ＤＡがそれぞれ平行にならないようにしても良い。
【図面の簡単な説明】
【００２８】
【図１】図１は、本発明の一実施例の鑑賞用版木の概略的斜視図である。
【図２】図２は、図１の鑑賞用版木の概略的平面図である。
【図３】図３は、図２の３−３線による概略的断面図である。
【図４】図４は、図１の鑑賞用版木を裏面側から見た状態の概略的図である。
【図５】図５は、図１の鑑賞用版木を額縁内に収納した状態の概略的平面図である。
【図６】図６は、図５の６−６線による概略的断面図である。
【図７】図７は、図５の額縁を裏面側から見た状態の概略的図である。
【図８】図８は、図５の額縁を壁に掛けた状態の概略的側面図である。
【図９】図９は、図１の鑑賞用版木と異なる他の実施例の鑑賞用版木の概略的平面図である。
【符号の説明】
【００２９】
Ｐ    ・・・・・鑑賞用版木
１    ・・・・・版木本体
２    ・・・・・小片の版木
【図１】
0004767662.tif 000002
【図２】
0004767662.tif 000003
【図３】
0004767662.tif 000004
【図４】
0004767662.tif 000005
【図５】
0004767662.tif 000006
【図６】
0004767662.tif 000007
【図７】
0004767662.tif 000008
【図８】
0004767662.tif 000009
【図９】
0004767662.tif 000010